(57)【要約】      （修正有）【課題】自然環境保護上弊害のないライフル用弾丸及び散弾銃用単弾を提供する。【解決手段】ライフル用弾丸及び散弾銃用単弾の素材に無毒性の銅を用い、弾丸の表面に複数の溝８を設けることで薬きょう，発射用火薬、雷管などに改良変更を要せずに、低伸性に優れ、命中精度が高く安定していて、且つ、使用目的に適した威力特性を有し、銃身に対し過度な発射圧力の負担と腔旋に対しても過度な磨耗を与えず、しかも、過剰な破壊特性と跳飛特性を排除し安全性が高く、そして、当該狩猟対象獣の回収率が高いライフル用弾丸及び散弾銃用単弾を実現させた。【選択図】    図１
2005016923.tif 000002
【特許請求の範囲】
【請求項１】
ライフル用弾丸及び散弾銃用単弾の素材に無毒性の銅を用い、又、薬きょう、発射用火薬、雷管などに改良変更等を要せず、低伸性に優れ、命中精度が高く、安定して、且つ、使用目的に適した威力特性を有し、過剰な破壊特性と跳飛特性を排除した全銅製ライフル用弾丸及び散弾銃用単弾の提供
【請求項２】
ライフル用弾丸及び散弾銃用単弾の素材に無毒性の銅を用い、又、薬きょう、発射用火薬、雷管などに改良変更等を要せず、低伸性に優れ、命中精度が高く、安定して、且つ、使用目的に適した威力特性を有し、過剰な破壊特性と跳飛特性を排除した全銅製ライフル用弾丸及び散弾銃用単弾の製造方法
【発明の詳細な説明】
【０００１】
【発明の属する分野】
本発明は、全銅製ライフル用弾丸及び散弾銃用単弾の外側に２〜６本の任意で複数の溝と、先端中心部に、当該弾丸外経の２５〜３５％の直径で、深さを弾丸最先端側の溝より先端側に留めた孔を有する、無毒性の銅を素材とした全銅製ライフル用弾丸及び散弾銃用単弾に関するものである。
【０００２】従来、ライフル用弾丸及び散弾銃用単弾は、主に鉛を素材とし、一部分を銅及び化学合成樹脂等で被覆して作製し、使用していたが、近年、鉛の持つ毒性が深刻な社会問題となり、散弾に於いては全面的に禁止の方向である。
【０００３】又、ライフル銃用弾丸あるいは散弾銃用単弾に於いて、中心部に鉛を有する弾丸が使用されていたが、その為、未回収の狩猟対象獣の死体や残滓を食する国際的な保護対象である猛禽類が、鉛中毒症を発症し、死亡して発見されたり、あるいは鉛中毒症を発症の為、保護される場合あるが、しかし、保護しても殆どの当該猛禽類は死亡してしまうという、自然環境保護上、深刻な弊害が惹起されている。
【０００４】
【発明の実施の形態】
本発明は、素材の全てに無毒性の銅を用いたライフル用弾丸及び散弾銃用単弾の提供であるが、弾丸等の外形表面全周囲に２〜６本の任意で複数の溝８を設けることで、鉛から銅への変更による弾丸硬度の増大によって発生する、腔旋の磨耗と過剰な発射圧力の上昇を防止するとともに、低伸性に優れ、適正な回転と安定した命中精度を維持し、使用目的に適した威力特性を有し、当該狩猟対象獣に命中時に発生する、過剰な破壊特性と跳飛特性を排除した狩猟用弾丸の提供である。又、本発明の弾丸の表面に設けた溝には、前述の他，先ず，第１の理由として、低伸性を発揮させる為に、溝断面形状に後端側の側面の角度が、任意の鈍角とした。次に第２の理由として、メーカー既成品及び自己調製の実包の性能を選択する場合に、従来の鉛製弾丸と同様の組み合わせで対処できるので、弾丸材質の変化に伴う取り扱い上の変化に対しても、新しい知識を必要とせず、安全である。
【０００５】
【従来の技術】
従来のライフル銃用弾丸あるいは散弾銃用単弾は、主に鉛を素材としていたが、近年、鉛の持つ毒性が深刻な社会問題となり、散弾に於いては全面的に禁止の方向である。又、ライフル銃用弾丸あるいは散弾銃用単弾に於いて、鉛を中心材料に作成、使用されていたが、その為、狩猟で命中させても、未回収の狩猟対象獣の死体や残滓を食用とする国際的な保護対象である猛禽類が、鉛中毒症を発症し、死亡あるいは鉛中毒症状を発症し、発見保護される場合あるが、しかし、保護しても殆どの猛禽類は死亡してしまうという、自然環境保護上、深刻な弊害が惹起されている。
【０００６】
【発明の実施の形態】
本発明は、素材の全てに無毒性の銅を用いたライフル銃用弾丸及び散弾銃用単弾の提供であるが、本発明の弾丸外形表面全周囲に、２〜６本の任意で複数の溝８を設けることで、鉛から銅への変更による弾丸硬度の増大によって生ずる、腔旋の磨耗と過剰な発射圧力の上昇を防止すると共に、低伸性に優れ、適正な回転と安定した命中精度を維持し、使用目的に適した威力特性を有し、当該狩猟対象獣に命中時に発生する、過剰な破壊特性と跳飛特性を排除したライフル銃用弾丸及び散弾銃用単弾とその製造方法の提供である。
【０００７】又、本発明の弾丸の表面に設けた溝８等には、前述の他，先ず，第１の理由として、低伸性を発揮させるために、溝断面形状８に後端側の側面の角度が、任意の鈍角１０とした。次の理由として、メーカー既成品及び自己調製の実包の性能を選択する場合に、従来の鉛使用弾丸と同一の組み合わせで対処できるので、弾丸材質の変化に伴う取り扱い上の変化に対しても、新しい知識，経験を必要とせず、安全である。
【０００８】
【課題を解決する為の手段】
課題の解決手段として、図１及び３，４、５、６に示す通り弾丸の表面側面の全周に、当該弾丸の全長５に応じた、２〜６本の任意で複数の溝８を設ける事で、銃身内部における摩擦抵抗を減少させ、腔旋の過度な磨耗を防止し、適正な発射時の圧力を保つと共に、溝の後方側の傾斜を鈍角に施すことにより、弾丸の回転に伴う空気の流れを、滑らかにすることで、発射後の低伸性と安定して、優れた命中精度を発揮させている。
【０００９】又、弾丸先端中心部より後端に向かい、孔２を穿つ事と、孔の先端部内側に、２〜６本の任意で複数の切込み２−ａを設ける事で、命中時に本発明の弾丸は、同先端部から、切込み２−ａの数に従い、図９の弾丸形状４から、４−ａ，４−ｂ、４−ｃの推移のように不規則不定な形に裂け、弾丸外径が広げられる形状変化の推移を辿り、貫通力に対する抵抗９−ａが増加するので、当該狩猟対象獣の体内での貫通力を失い、当該獣の体内にて当該弾丸は、全ての運動エネルギーを放出する事で、命中したその場あるいはその付近で、当該対象獣の速やかに確実な死亡と確実な回収を得る性能を発揮する弾丸である。
【００１０】弾丸表面側面の全周に設ける溝３，３−ａ，３−ｂ，３−ｃ、３−ｄ等の数は、対象弾丸の口径６に応じ全長５が変化する為、弾丸の全長５と重量の割合に応じて、任意に選択することが可能なので、弾丸の製造時の制約が少ない事を、特徴とする。
【００１１】本発明では、銃身及び銃機関部への負担に対して安全性の維持に係る配慮として、当該弾丸表面に設ける溝８の数を、軽量弾の場合は２本と少なく、重量弾の場合は６本と多くする事で、接触抵抗を減殺して、発射時の腔内圧力の過剰な上昇を防止すると共に、適正な圧力と弾速を維持させているので、従来通りの知識に従った用途に応じた重量の弾丸と発射用火薬量の組み合わせの自由が有り、従来通りの知識で取り扱いが可能なので、初めて本発明のライフル銃用弾丸及び散弾銃用単弾使用する場合でも、発射時の反動特性の変化を最小限に抑制した事を、特徴とする。
【００１２】本発明の弾丸表面に設ける溝８の形状については、後流ガスの流れる方向の安定化の為、溝の後部側の加工角度を弾丸中心線に対し任意の鈍角１０に加工する事を、特徴とする。
【００１３】本発明の弾丸表面に設ける溝８の断面形状は、深皿型３、Ｖ字型３−ａ、皿型３−ｂ、台形型３−ｃ、四辺形型３−ｄ等が採用可能なの形状であるが、用途に応じた任意の溝断面形状を選択し、加工出来る自由性を有する事を、特徴とする。
【００１４】本発明の弾丸表面に設ける溝８の幅８−ｂと深さ８−ｃは加工上の効率と、弾丸自体の重量と命中精度の相関関係に応じて、任意に選定出来るので加工上の効率的である事を、特徴とする。
【００１５】又、本発明は、弾丸本体の形状と性状安定化の為、加工工程の前処理として、コイル状で保管されていた材料用銅線を、最初の所定寸法に切断後、加熱して、保管時のコイル状態時に与えられた応力を除去し、弾丸形状への加工時及び加工後に生じる応力を消去し、形状の安定化処理を施している事を、特徴とする。
【００１６】本発明の弾丸の形状に、公知の流線形を採用した事は、従来公知の流体力学理論に因るもので、特に３００メートルを越える長距離射撃時における低伸性を発揮させ、弾道安定性の確保と命中率の向上を実現させた。
【００１７】本発明で伝統的は公知の流線型を選択する理由は、既存で類似の狩
猟用弾丸の形状と比較して、
【００１６】にて記述の通り、長距離射撃に於いての、より優れた低伸性と安定した命中精度の獲得の他、弾丸の長さ方向での重心の均衡を保たせ、当該狩猟対象獣の体内の命中以後も、当該狩猟対象獣の体内での直進性の維持するバランス特性の優秀さを実現する為でもある。
【００１８】公知の弾丸に採用されている先端部が、本発明弾丸に比較して直線的で鋭い外形のＧ弾は、当該狩猟対象獣に命中後、同狩猟対象獣の体内で、体組織のより柔らかい部分方向に曲進し、体内の柔らかい部分を貫通する可能性が高く、致命圏を逸れ、未回収にする可能性を有する傾向に対し、本発明の弾丸は、命中後の的確な直進性の維持と、確実な当該狩猟対象獣の体内での停止による、当該対象獣の速やかで確実な死と回収を得る性能を発揮させるので、半矢未回収を防止すると共に、派生的効果であるが、貴重で国際的な保護対象である猛禽類の保護に繋がる貢献性を有する事を、特徴とする。
【００１９】本発明弾丸後半部の外部形状は、後端部外径６−ａが最大外径部６と比較して、緩やかに縮小した形状である、公知のボートテール型を採用する事で、弾丸の飛翔で発生する弾丸後部の乱気流を抑制し、前述
【００１２】
【００１３】の理由と重ねて、低伸性を増強し、安定した命中精度の維持を実現している事を、特徴とする。
【００２０】本発明の弾丸先端部に穿たれた孔の深さ２−ｂは、弾丸外部表面に設けられた溝８の、最前部側の溝８−ａより前方に留まる全長に対する４９％未満の深さ２−ｂで設ける事で、弾丸先端部２の拡張と貫通力の均衡を保ち、当該狩猟対象獣の体内、命中側の反対側皮膚の内部近くに停止停止させる効果の実現する事を、特徴とする。
【発明の効果】
【００２１】弾丸先端部２に穿たれた穴の深さ７−ｂを、最先端側の溝８−ａより前方に留めた全長５に対する４９％未満の深さ７−ｂで設ける根拠は、弾丸の飛翔時に於ける低伸性の維持と、命中時に開始する弾頭部の破裂４−ａ及び拡大４−ｂによる当該狩猟対象獣の体内での停止能力の発揮の為である。
【００２２】本発明の弾丸は、弾丸先端部より内部に向かって弾丸外径６に対し２５〜３５％の直径７と、全長５に対する深さ７−ａを最先端側の溝８−ａより前方に留めた孔を設け、その弾丸の直径と弾丸中心側内部孔２の口径７に応じて、３〜６箇所の任意で複数の切れ目２−ａを設ける事で、当該狩猟対象獣に命中後、孔２内部に当該狩猟対象獣の体組織や血液９が進入し、その進入圧力と当該狩猟対象獣の体組織や血液９の貫入抵抗で、当該弾丸は孔２内部より膨張を開始し、終に、先端に設けられた切込み２−ａより亀裂が開始される公知の技術を、改良したものである。
【００２３】本発明の弾丸先端部に設けられた孔２の直径７を、弾丸直径の２５〜３５％と、数値に幅を与えた理由は、弾丸外径寸法６の変化に伴う強度と、亀裂拡大効果の相関関係に従う為であり、従来、存在しない発明である。
【００２４】当該弾丸先端部は、亀裂を開始し４−ａから４−ｂの推移を辿り、百合の花びらのような形態で外側に押し拡げられ、当該弾丸先端は  更に当該狩猟獣の体内組織の抵抗で、弾丸の進行方向と逆側に押し拡げられて４−ｃに至り、貫通力を失い停止するが、公知の弾丸の亀裂し押し広げられた部分が分離し、更に貫入を継続、最終的に貫通飛散する既存で公知の弾丸の性能と異なり、亀裂し押し広げられた部分は、弾丸本体から分離せずに同一体を保ち、当該狩猟獣の体内で停止するので、周辺に対して安全である。
【００２５】従って、発射時に与えられた全てのエネルギーを受けた当該狩猟対象獣は、命中の衝撃で心臓や脳、神経中枢部や生命維持の基幹部が瞬時に破壊され、生命活動が終了する為、速やかで確実な死を与える事を特徴とする。
【００２６】速やかで確実な死を与える本発明の弾丸は、確実な狩猟対象獣の回収を可能とし、未回収により惹起される環境汚染の発生や、貴重な国際保護の対象となっている猛禽類の鉛中毒発症を防止し、間接的派生的であるが、自然環境の保護に貢献する事を特徴とする。
【００２７】狩猟用弾丸の外面に、２〜６本の複数の溝と、先端中心部に、弾丸先端部より弾丸中心近くまでの深さの孔を有する弾丸は、前述の通り、現在既に公知であり存在するが、既存で公知の弾丸は、当該弾丸先端部よりの孔の亀裂拡張により、亀裂した弾丸の破片が、当該弾丸本体部分の停止後も、４個の破片となり、更に、当該狩猟対象獣の体内を貫入進行し、当該狩猟対象獣の体内貫通後も殺傷力を保持したまま、危険な破片となって、予側不能な方向へ飛散する為、流れ弾状態となり、付近の人や狩猟犬、又、建造物や自動車等へ深刻な損害を与える可能性を有している事は、本発明との比較に於いて危険性を有し、ライフル銃用弾丸及び散弾銃用単弾としての安全性と、狩猟対象獣の回収率において、本発明のライフル銃用弾丸及び散弾銃用単弾の新規性と優秀性を示している。
【００２８】又、鉄製容器に鉛を充填した部品を、弾丸後部に加工して取付け、弾丸重量を増加した工夫を持つＷ社ＦＳ弾も存在するが、この弾丸の場合、鉛を充填した鉄製容器が、銅と鉛の比重の違いによる慣性で、鉄製容器の持つ強度の限界の理由から、当該狩猟獣に命中時の衝撃で破損し、同獣の体内に鉄製容器に充填された鉛が、飛散露出する可能性を有している為、自然環境保護の観点から、本発明のライフル銃用弾丸及び散弾銃用単弾弾丸より、劣ると言わざるを得ない。
【図面の簡単な説明】
【図１】本発明の四辺形形溝タイプの平面図である
【図２】本発明の四辺形形溝タイプの断面図である
【図３】本発明の皿型形溝タイプの平面及び断面図である
【図４】本発明の深皿形溝タイプの平面及び断面図である
【図５】本発明のＶ字形タイプの平面及び断面図である
【図６】本発明の台形形溝タイプの平面及び断面図である
【図７】本発明の発射時から命中並びに停止に到る弾丸の変形の推移を示す、弾丸の形状変化の予想平面断面図である
【符号の説明】
１  弾丸本体
２  先端部孔      ２−ａ  孔先端部の切込み
３  深皿型の溝    ３−ａ  Ｖ字形の溝    ３−ｂ  皿型
３−ｃ  台形の溝    ３−ｄ  四辺形の溝
４  弾丸の発射時の形状    ４−ａ  弾丸先端部の亀裂開始時の形状
４−ｂ  弾丸先端部の亀裂進行途中の形状    ４−ｃ  弾丸停止時の予想形状
５  弾丸の全長
６  弾丸の直径    ６−ａ弾丸後端部縮小直径
７  弾丸先端孔径  ７−ａ弾丸先端孔深さ（弾丸全長の２分の１未満）
８  弾丸表面に加工した溝    ８−ａ弾丸表面に加工した最先端側の溝
８−ｂ  溝の幅      ８−ｃ  溝の深さ
９  当該狩猟対象鳥獣の血液及び体組織等
９−ａ  血液及び体組織等の抵抗圧力
１０  溝後方の角度の概念
１１  亀裂のイメージ
【図１】
2005016923.tif 000003
【図２】
2005016923.tif 000004
【図３】
2005016923.tif 000005
【図４】
2005016923.tif 000006
【図５】
2005016923.tif 000007
【図６】
2005016923.tif 000008
【図７】
2005016923.tif 000009